(57)【要約】  装置（１１２）はエラー訂正をサポートする。受信部（１２０）を通信リンクでデータを受信するように構成する。デカプセル化部（１２２）を受信部に結合し、データグラムを作成するように構成する。復号部（１２４）をデカプセル化部に結合し、テーブルにデータグラムを格納し、符号語（ｃｏｄｅｗｏｒｄ）を作成するように構成する。この復号部はデータグラムをテーブル列に格納し、テーブル行に符号語を作成する。ユーザインターフェース（１２６）を復号部に結合し、データグラムに応じた画像をユーザインターフェース上にレンダリングするように構成する。本発明の利点は、移動無線装置における、効率的な信号処理と、バッテリー寿命の延長とを含む。
2009509389.tif 000002
【特許請求の範囲】
【請求項１】
通信リンクでデータを受信するように構成された受信部と；
前記受信部に結合され、データグラムを作成するように構成されたデカプセル化部と；
前記デカプセル化部に結合され、テーブルに前記データグラムを格納し、符号語（ｃｏｄｅｗｏｒｄ）を作成するように構成された復号部と；
前記復号部に結合され、前記データグラムに応じた画像をユーザインターフェース上にレンダリングするように構成されたユーザインターフェースと；
を有し、
前記復号部は前記データグラムをテーブル列に格納し、テーブル行に符号語を作成する、
ことを特徴とする、エラー訂正をサポートする装置。
【請求項２】
前記デカプセル化部は、前記データグラムに関連する消失属性を生成するように構成され、
前記復号部は、前記消失属性を消失テーブルに格納するように構成される、
請求項１に記載の装置。
【請求項３】
前記復号部は、符号語を選択的に処理して訂正された符号語を作成するように構成され、
前記選択は、前記消失テーブルに格納された前記属性の少なくとも一部に基づくものである、
請求項２に記載の装置。
【請求項４】
前記復号部は、前記消失テーブルが正しい又はエラーを多く含み過ぎて訂正できないと識別する符号語を、選択的にバイパスするように構成される、
請求項３に記載の装置。
【請求項５】
前記デカプセル化部は、前記データグラムに関連する少なくとも３つのレベルの消失属性を生成するように構成される、
請求項２に記載の装置。
【請求項６】
前記復号部は、符号語を選択的に処理して訂正された符号語を作成するように構成され、
前記選択は、前記消失テーブルに格納された前記属性の少なくとも一部に基づくものである、
請求項５に記載の装置。
【請求項７】
前記復号部は、前記消失テーブルが正しい又はエラーを多く含み過ぎて訂正できないと識別する符号語を、選択的にバイパスするように構成される、
請求項６に記載の装置。
【請求項８】
前記通信リンクは無線リンクであり、前記データはデジタルテレビデータである、
請求項１に記載の装置。
【請求項９】
通信リンクでデータを受信するステップと；
前記データをデカプセル化してデータグラムを作成するステップと；
前記データグラムをテーブルに格納し、且つ、符号語を作成するようにして前記データグラムを復号するステップであって、
前記データグラムをテーブル列に格納してテーブル行に符号語を作成するステップを含む、
データグラム復号ステップと；
前記データグラムに応じた画像を前記ユーザインターフェース上にレンダリングするステップと；
を含むことを特徴とする、エラー訂正の処理方法。
【請求項１０】
前記デカプセル化ステップは、
前記データグラムに関連する消失属性を生成するステップと、
前記消失属性を消失テーブルに格納するステップとを含む、
請求項９に記載の方法。
【請求項１１】
前記データグラム復号ステップは、
符号語を選択的に処理して訂正された符号語を作成するステップを含み、
前記選択は、前記消失テーブルに格納された前記属性の少なくとも一部に基づくものである、
請求項１０に記載の方法。
【請求項１２】
前記復号ステップは、前記消失テーブルが正しい又はエラーを多く含み過ぎて訂正できないと識別する符号語を、選択的にバイパスする、
請求項１１に記載の方法。
【請求項１３】
前記デカプセル化ステップは、前記データグラムに関連する少なくとも３つのレベルの消失属性を生成するステップを含む、
請求項１０に記載の方法。
【請求項１４】
前記復号ステップは、
符号語を選択的に処理して訂正された符号語を作成するステップを含み、
前記選択は、前記消失テーブルに格納された前記属性の少なくとも一部に基づくものである、
請求項１３に記載の方法。
【請求項１５】
前記復号ステップは、消失テーブルが正しい又はエラーを多く含み過ぎて訂正できないと識別する符号語を、選択的にバイパスする、
請求項１４に記載の方法。
【請求項１６】
前記通信リンクは無線リンクであり、前記データはデジタルテレビデータである、
請求項９に記載の方法。
【請求項１７】
データグラムを受信するように構成された入力部と；
前記入力部に結合され、テーブルに前記データグラムを格納し、且つ、符号語（ｃｏｄｅｗｏｒｄ）を作成するように構成された復号部と；
符号語を送信するように構成された出力と；
を有し、
前記復号部は、前記データグラムをテーブル列に格納し、テーブル行にて符号語を取り出す、
ことを特徴とする、エラー訂正回路。
【請求項１８】
前記入力部は、前記データグラムに関連する消失属性を有し、
前記復号部は、前記消失属性を消失テーブルに格納するように構成される、
請求項１７に記載のエラー訂正回路。
【請求項１９】
前記復号部は、符号語を選択的に処理して訂正された符号語を作成するように構成され、
前記選択は、前記消失テーブルに格納された前記属性の少なくとも一部に基づくものである、
請求項１８に記載のエラー訂正回路。
【請求項２０】
前記復号部は、前記消失テーブルが正しい又はエラーを多く含み過ぎて訂正できないと識別する符号語を、選択的にバイパスするように構成される、
請求項１９に記載のエラー訂正回路。
【請求項２１】
前記入力部は、前記データグラムに関連する少なくとも３つのレベルの消失属性を受信するように構成される、
請求項１９に記載のエラー訂正回路。
【請求項２２】
前記データはデジタルテレビデータに関するものである、
請求項１７に記載のエラー訂正回路。
【発明の詳細な説明】
【技術分野】
【０００１】
無線環境は、高品質通信に挑戦している。本発明は、メモリ、計算及び電力消費の要件を減らしながら、移動無線アプリケーションにおけるエラー訂正を改良する技術に関する。
【背景技術】
【０００２】
半導体製造技術及びデジタルシステムアーキテクチャの進歩は、数百万のトランジスタと、様々な他のコンポーネント及び配線とを有する、非常に高度な集積回路を生み出している。上記進歩から生じた集積回路は、比較的低いコストで、かなりの計算資源をもたらす。そして、このような集積回路を利用することにより、消費家電製品、特に移動無線製品の性能及び種類が向上／増加してきている。消費家電製品の１つの具体的な態様は、モバイル／ポータブルＴＶ受信機である。
【発明の開示】
【発明が解決しようとする課題】
【０００３】
受信品質の改善に対する要求はさらに増加しているため、エラー訂正機能を組み込んだ、又はエラー訂正能力有する最新のモバイル／ポータブルＴＶ受信機製品には、ますます複雑な技術が採用されている。これらの複雑な技術の使用は、コスト及び電力消費双方の点で、不所望な結果をまねくことがよくある。例えば、このような信号処理能力は、典型的には、入力データを格納する大量のメモリを必要とし、さらに、典型的には、高速な計算資源を必要とする。この過大なメモリ及び高速計算資源は、エラー訂正能力を組み込む製品のコスト及び電力消費を増大させることになる。
【０００４】
メモリの必要量は、大量の入力データに作用して、後続の処理のために格納される中間結果を含む様々な出力データを作成する幾つかの精巧な処理アルゴリズムでは、特に大きくなる。
【０００５】
必要となるのは、エラー訂正能力を組み込む製品のコスト及び電力消費を減らしながら、このようなエラー訂正能力をもたらす方法及び装置である。
【課題を解決するための手段】
【０００６】
本発明は、無線装置における受信品質を改良する装置及び方法を提供する。
【０００７】
模範的な実施形態は、エラー訂正をサポートする装置である。受信部を、通信リンクでデータを受信するように構成する。デカプセル化部を受信部に結合し、データグラムを作成するように構成する。復号部をデカプセル化部に結合し、テーブルにデータグラムを格納し、符号語（ｃｏｄｅｗｏｒｄ）を作成するように構成する。この復号部はデータグラムをテーブル列に格納し、テーブル行に符号語を作成する。ユーザインターフェースを復号部に結合し、データグラムに応じた画像をユーザインターフェース上にレンダリングするように構成する。本発明の利点は、移動無線装置における信号受信の改善と、バッテリー寿命の延長とを含む。
【０００８】
本発明の１つの態様では、デカプセル化部を、データグラムに関連する消失属性を生成するように構成し、かつ、復号部を、消失属性を消失テーブルに格納するように構成する。本発明の１つの態様では、復号部を、符号語を選択的に処理して訂正された符号語を作成するように構成する。この選択は、消失テーブルに格納された属性の少なくとも一部に基づくものである。本発明の１つの態様では、復号部を、消失テーブルが正しい又はエラーを多く含み過ぎて訂正できないと識別する符号語を、選択的にバイパスするように構成する。本発明の１つの態様では、デカプセル化部を、データグラムに関連する少なくとも３つのレベルの消失属性を生成するように構成する。
【０００９】
本発明の利点は、移動無線装置における効率的な信号処理と、バッテリー寿命の延長とを含む。本発明を、以下に図面を参照して説明する。
【発明を実施するための最良の形態】
【００１０】
本発明を、特定の実施形態に関して説明する。当業者であれば、この説明が例示のためであり、本発明を実施する最良の形態をもたらすものであることがわかるだろう。特定の無線装置及びプロトコルを参照しているが、本発明は多くの異なる種類の通信媒体、装置及びプロトコルに適用可能である。例えば、１つの無線プロトコルをここに記載しているが、本発明は、有線通信やアナログ及びデジタル変形例のような、他のプロトコル及び通信技術に適用可能である。同様に、リードソロモンエラー訂正を記載しているが、本発明では他のエラー訂正技術を実装することができる。
【００１１】
図１は、放送局１１０と、放送局からの信号を受信する多数の無線装置１１２ａ−１１２ｂとを表す模範的な無線ネットワーク１００を示している。これらの装置は互いに通信する能力を有する。例えば、この装置１１２ａ−１１２ｂはテレビ受信機であるが、電話、ＰＤＡ（Ｐｅｒｓｏｎａｌ  Ｄｉｇｉｔａｌ  Ａｓｓｉｓｔａｎｔ）、ラップトップコンピュータ又は他の電子機器のような、他の移動装置とすることもできる。さらに、これらの装置のうちのいくつかをバッテリー電力駆動とし、他の装置は利用可能な電源コンセントで給電することができる。ある場合には、これらの装置を、例えばイーサネット（登録商標）又はケーブル接続といった、有線ネットワークを通じてネットワークに結合することができる。
【００１２】
図２Ａは、本発明の実施形態による模範的な装置１１２を示す。図２Ｂは、この模範的な装置で行われる方法を表すフローチャートを示す。受信部及び復調器１２０は到着信号を受信し、この信号を低い周波数に変換し、この信号を処理するためにトランスポートストリーム（Ｔｒａｎｓｐｏｒｔ  Ｓｔｒｅａｍ）を作る。１つの態様では、受信部は、復調されたパケットに初期のエラー訂正を行い、ＴＳパケットが不良で訂正できない場合にはＴＥＩ（Ｔｒａｎｓｐｏｒｔ  Ｅｒｒｏｒ  Ｉｎｄｉｃａｔｏｒ：トランスポートエラーインジケータ）を設定するエラー訂正回路を含む。ＩＰデカプセル化部１２２は、消失情報と共に到着情報をＭＰＥ−ＦＥＣ（Ｍｕｌｔｉｐｒｏｔｏｃｏｌ  Ｅｎｃａｐｓｕｌａｔｉｏｎ  Ｆｏｒｗａｒｄ  Ｅｒｒｏｒ  Ｃｏｒｒｅｃｔｉｏｎ）セクションへと復号し、さらに、生のＩＰデータグラムを抽出するためにＭＰＥ−ＦＥＣセクションをパースにすることによって、トランスポートパケットの初期処理を行う。ＭＰＥ−ＦＥＣ復号部１２４は、ＭＰＥ−ＦＥＣセクションを受信し、本発明の実施形態によるリードソロモン符号語を処理し、訂正されたＩＰデータグラムをもたらす。ユーザインターフェース１２６、例えばソース復号兼レンダリング回路は、例えばテレビのディスプレイ上に表示するために、情報を処理する。
【００１３】
エラー訂正に対して、模範的な実施形態ではリードソロモン符号を用いる。リードソロモン符号器は、デジタルデータのブロックに、追加の“冗長”ビットを付加する。様々な理由（例えば雑音、干渉、ＣＤの引っかき傷など）で、送信及び格納中にエラーが発生する。リードソロモン復号部は各ブロックを処理し、エラーの訂正を試み、元のデータを復元する。訂正できるエラーの数及び種類は、リードソロモン符号の特性に依存する。
【００１４】
リードソロモン符号は、ｓビットのシンボルを有するＲＳ（ｎ，ｋ）として規定される。これは、符号器は各々ｓビットのｋデータシンボルをとり、これにパリティシンボルを加え、ｎシンボルの符号語を作成することを意味する。この符号語には各々が、ｓビットのｎ−ｋのパリティシンボルがある。リードソロモン復号部は、１つの符号語において、エラーを含むｔシンボルまでを訂正でき、２ｔ＝ｎ−ｋである。
【００１５】
図３Ａは、本発明の実施形態による、リードソロモン符号語を示す。ＭＰＥ−ＦＥＣで用いられるリードソロモン符号は、８ビットのシンボルを有するＲＳ（２５５，１９１）として規定される。これは、各符号語は、１９１バイトがデータで６４バイトがパリティである、２５５の符号語バイトを含むことを意味する。つまり、ｎ＝２５５，ｋ＝１９１，ｓ＝８，２ｔ＝６４及びｔ＝３２である。復号部はこの符号語において任意の３２個のシンボルエラーを訂正できる。すなわち、符号語中のいずれの箇所における３２バイトまでのエラーを自動的に訂正することができる。シンボルサイズをｓとすると、リードソロモン符号に対する最大符号語長ｎは、ｎ＝２ｓ−１である。例えば、８ビットのシンボル（ｓ＝８）を有する符号の最大長は２５５バイトである。リードソロモン符号の符号化及び復号化に必要な処理電力の量は、符号語当りのパリティシンボルの数に関係する。大きい値のｔは多数のエラーを訂正できることを意味するが、小さい値のｔよりも多くの計算電力を必要とする。シンボル中のいくつかのビットが誤っている場合に、１つのシンボルエラーが生じる。
【００１６】
リードソロモン符号の代数的復号プロシージャはエラー及び消失（ｅｒａｓｕｒｅ）を訂正できる。消失は、エラーシンボルの位置が既知の場合に生じる。復号部は、ｔのエラー又は２ｔの消失まで訂正できる。模範的な実施形態では、消失情報を推定して、エラーを含みそうな受信シンボルの識別を支援し得るようにする。符号語を復号する際に、２ｘ＋ｙ＜２ｔ（ｘ：エラー、ｙ：消失）の場合には、元の送信符号語を復元できる。
【００１７】
より多くの消失が既知であれば、より多くのエラーを訂正できることに留意されたい。従って、リードソロモン復号に先行して、出来る限り多くの消失（当然、最大で６４）を識別できることが望ましい。一方で、いくつかのシンボルを誤って消失としてマークする場合には、リードソロモン復号部が訂正できるエラーの数が減少する。例えば、８つの消失があり、そのうち６つがエラー符号ではなく、従って消失と誤って識別されているとする。リードソロモン復号部は（６４−８）／２＝２８のエラーと２の消失のみしか訂正できない。一方、最初に識別された消失が２つだけしかない場合には、従って、リードソロモン復号部は（６４−２）／２＝３１のエラーと２の消失を訂正できる。従って、消失を確実にマークする適切なアルゴリズムを提供することが望ましい。
【００１８】
図３Ｂ−Ｃは、本発明の実施形態による、トランスポートパケットとＭＰＥ−ＦＥＣパケットとの間の関係を示す（実寸ではない）。トランスポートストリーム（ＴＳ）パケットのフォーマット及びデータグラムセクションを表１及び表２にそれぞれ示す。図３ＡにおいてＴＳパケットとＭＰＥパケットとの間を直接対応付ける必要はなく、ＭＰＥパケットは１つ以上のＴＳパケット間の境界を超えることができることに留意されたい。本発明の一つの態様は、あらゆる条件下で、どのように図４Ａに示すＭＰＥ−ＦＥＣテーブル４００を、調整し、且つ再構築するかである。
【００１９】
【表１】
2009509389.tif 000003
【００２０】
【表２】
2009509389.tif 000004
【００２１】
図４Ａ−Ｂは本発明の実施形態によるメモリテーブル４００を示す。このメモリテーブルは、この場合Ｎ＝２５５バイトである、所望の符号語長に対応する多数の列を有する。このテーブルは、メモリ中の所望のテーブルサイズに対応する多数の行を有する。
【００２２】
図４Ａは、本発明によって再構築される各符号語に対する、メモリ４００のＭＰＥ部及びＦＥＣ部を示す。図４ＢはＩＰデータグラムをどのように受信し、テーブル４００の列に編入するかを示す。ＭＰＥ部は、ＭＰＥセクション長が可変であるため、可変長により生じるテーブルの一部を埋めるために、ＴＳで送信されるパディングバイトを含み得る。ＦＥＣセクションパケットは、可能な限り効率的にテーブルのＦＥＣ部に挿入することを意図しているため、通常は完全な長さとなる。ＦＥＣ部は、テーブルのＦＥＣ部を埋めるために、パンクチャリング（ｐｕｎｃｔｕｒｉｎｇ）バイト（これらは送付されるバイトではない）を含み得る。
【００２３】
図４Ｃは、本発明の実施形態による消失テーブルを示す。本発明の１つの態様では、デカプセル化部を、データグラムに関連する消失属性を生成するように構成し、かつ、復号部を、消失テーブルにこの消失属性を格納するように構成する。この復号部を、符号語を選択的に処理して訂正された符号語を作成するように構成する。この選択は、消失テーブルに格納された属性の少なくとも一部に基づくものである。復号部を、消失テーブルが正しい又は訂正不可能と識別する符号語を選択的にバイパスするように構成する。
【００２４】
１つの態様では、デカプセル化部を、テーブル３に示すようなデータグラムに関連する少なくとも３つのレベルの消失属性を生成するように構成する。この態様では、復号部を、符号語を選択的に処理して訂正された符号語を作成するように構成する。この選択は、消失テーブルに格納された属性の少なくとも一部に基づくものである。再び、復号部を、消失テーブルが正しい又は訂正すべきエラーを多く有しすぎると識別する符号語を、選択的にバイパスするように構成する。この態様では、ソフト消失の概念を導入する。ソフト消失は、符号語中のシンボルが誤りである尤度を示す。
【００２５】
【表３】
2009509389.tif 000005
【００２６】
符号語中の各シンボルのソフト消失の値は、例えば受信したトランスポートパケットから抽出できる。例えば、トランスポートパケットのＴＥＩ（Ｔｒａｎｓｍｉｓｓｉｏｎ  Ｅｒｒｏｒ  Ｉｎｄｉｃａｔｏｒ）ビットを１に設定する場合には、トランスポートパケット中のペイロードのソフト消失の値に２を割り当て、一方、ＴＥＩビットを０に設定する場合には、ソフト消失の値に１を割り当てることができる。例えば、ＭＰＥアプリケーションデータテーブルのパディングバイト、又はＣＲＣ（Ｃｙｃｌｉｃ  Ｒｅｄｕｎｄａｎｃｙ  Ｃｈｅｃｋｓｕｍ）チェックを通るトランスポートパケットのペイロードに対して、０のソフト消失の値を割り当てる。例えば、ＭＰＥ−ＦＥＣリードソロモンデータテーブルのパンクチャリングバイトに対して、３のソフト消失の値を割り当てる。
【００２７】
これらの例は、どのようにソフト消失の値を決定できるかを示す。ソフト消失の値に、他のシナリオを用いる可能性もある。例えば、トランスポートパケットの連続カウントビットを用いて、パケット廃棄があったかどうかを決定することが出来る。パケットが廃棄された場合には、全てのシンボルが誤りであることが確かであるため、全てのパケットのソフト消失の値に３を割り当てることができる。
【００２８】
ソフト消失テーブルを構築する多数の技術が存在する一方、各符号語に対してハード消失を生成し、テーブルサイズを最小化するようにテーブルを構築することが有用である。簡易化したハード消失生成器及び小さなソフト消失テーブルは、コスト及び消費電力の削減へとつながる。
【００２９】
本発明の１つの態様では、ＭＰＥ−ＦＥＣフレームを完全に構築し、ソフト消失テーブルを埋めてからハード消失を生成する。ハード消失の値は二値（バイナリ）である。この値が１の場合、符号語の現シンボルが消失していることを示す。この値が１の場合、符号語の現シンボルが消失していないことを示す。ハード消失は、その後、リードソロモン復号部によって用いられる。本発明は、しかしながら、特定のリードソロモン復号部の実装に限定されない。
【００３０】
ハード消失生成器は、通常、どのようにソフト消失テーブルを構築するかに関係する。本発明の１つの態様では、ハード消失生成器は、実行毎に１つの完全な符号語に対してハード消失を生成する。実行の終了時に、ハード消失生成器は、下記のいずれかの条件に合致する場合に、リードソロモンの復号が必要ないことを決定する。
（ａ）符号語中の各シンボルのハード消失が０；又は
（ｂ）ハード消失が１であるシンボルの数が、リードソロモン復号部の上限、すなわちＤＶＢ−Ｈ（Ｄｉｇｉｔａｌ  Ｖｉｄｅｏ  Ｂｒｏａｄｃａｓｔｉｎｇ−Ｈａｎｄｈｅｌｄｓ）の場合では６４を超える。
通常、符号語中の全てのシンボルのソフト消失が０の場合にのみ、第一の条件に合致し、さらに、符号語中の少なくとも６５（ＤＶＢ−Ｈの場合）シンボルのソフト消失が０でない場合にのみ、第二の条件に合致する。
【００３１】
本発明は、消失を用いないリードソロモンの復号でも動作する。この場合、ハード消失生成器の唯一の機能は、リードソロモンの復号が必要であるかどうかを決定することである。リードソロモンの復号サブモジュールには、ハード消失は出力されない。
【００３２】
図５は、本発明の実施形態による、適応型ＭＰＥ−ＦＥＣ復号部１２４の論理アーキテクチャを示す。これは下記の主要コンポーネント又はサブモジュールを含む。リーロソロモン復号部５１０は、リードソロモン符号化された符号語を訂正する。リードソロモン復号部は、本発明の所望の態様に応じて、消失を使用したり、又は使用しなくすることもできる。ＭＰＥ−ＦＥＣフレームテーブル４００には、ＭＰＥ−ＦＥＣテーブル（ＭＰＥアプリケーションデータテーブル及びリードソロモンデータテーブルを含む）をどこに格納するかを示す。ハード消失生成器５０４は、ハード消失を生成し、符号語対してリードソロモン復号が有用かどうかを決定する。フェッチ／格納制御部５０８は、未訂正の符号語を選択的にフェッチし、訂正された符号語を格納する役割がある。制御部５０８が１つ以上の符号語をバイパスするかどうかは、ハード消失生成器によって制御する。ハード消失生成器が、符号語に対してリードソロモン復号を選択しないという決定をした場合には、符号語のフェッチはバイパスされる。消失バッファ５０６は、ハード消失生成器によって生成された消失を格納する。ソフト消失テーブル５０２は、トランスポートパケットから抽出したソフト消失情報を格納する。
【００３３】
図６は、本発明の実施態様による適応型前方エラー訂正方法のフローチャート６００を示す。ステップ６０２では、受信部１２０から受信したトランスポートパケットから、ＩＰデータグラムをデカプセル化することにより、ＭＰＥ−ＦＥＣフレームを構築する。デカプセル化プロセスの一部として、ステップ６０４は、ＭＰＥ−ＦＥＣフレーム中の各シンボルのエラー尤度を示すソフト消失テーブルを構築する。ＭＰＥ−ＦＥＣフレーム及びソフト消失テーブルが完成した場合には、ステップ６０６は、ＭＰＥ−ＦＥＣフレームテーブルの各符号語にハード消失処理を行う。
【００３４】
符号語のハード消失生成の終了時に、ステップ６０８において、ハード消失生成器は与えられた符号語に対してリードソロモン復号が必要かどうかを決定する。訂正が必要ではない場合には、現符号語をＭＰＥ−ＦＥＣフレームからフェッチせず、リードソロモン復号を行わない。ステップ６１０は、符号語は正しいとしてそのままをメモリに残す。
【００３５】
符号語の訂正が必要である場合には、ステップ６１２は、訂正が可能かどうかを決定する。符号語を訂正するにはエラーが多すぎる場合には、ステップ６１４は、符号語を訂正不可能と識別する。符号語が訂正可能である場合には、ステップ６１６は訂正を行い、ステップ６１８は訂正した符号語をメモリに格納する。
【００３６】
そしてこの場合には、ステップ６２０において、ハード消失生成器は次の符号語への処理を開始する。このプロセスは全てのＭＰＥ−ＦＥＣフレームを処理するまで継続する。
【００３７】
本発明は、所定のＭＰＥ−ＦＥＣフレームに対して、必ずしも全ての符号語を訂正する必要がないという見識に基づくものである。エラーがない又はエラーが多すぎる場合には、処理時間を短縮し、かつ、不必要なメモリアクセスを回避するために、リードソロモン復号をバイパスすることが出来る。処理時間の短縮は、短縮しない場合に比べＭＰＥ−ＦＥＣ操作を早く完了でき、システム全体、例えばＴＶ受信機を、スリープモードにすることができることを意味する。これは特に、時間細分化が受信機のバーストモードでの動作を可能にするための重要な特徴である、ＤＶＢ−Ｈに基づくＴＶ受信機に望ましい。メモリアクセスの減少は、減少しない場合に比べクロックトグルが少なくなることを意味する。
【００３８】
いずれの場合にも、システムの電力消費を低減させることができる。
【００３９】
モバイルＴＶ受信機の例では、良好な受信状態はエラーが少ない又はエラーがないことを暗示し、一方、悪い受信状態はエラーが多すぎることを意味する。本発明は、このように良い及び悪い受信状態の両方で電力を抑えることができる。
【００４０】
本発明の利点は、移動無線装置における効率的な信号処理と、バッテリー寿命の延長とを含む。
【００４１】
模範的な実施形態及び最良の形態を開示したが、添付の請求項に規定するように、本発明の主題及び精神の範囲内で、開示した実施形態に対する修正及び変更を加えることができる。
【図面の簡単な説明】
【００４２】
【図１】本発明の実施形態による模範的な無線ネットワークを示す図である。
【図２Ａ】本発明の実施形態による模範的な装置を示す図である。
【図２Ｂ】本発明の実施形態による模範的な装置で行われる方法を表すフローチャートを示す図である。
【図３Ａ】本発明の実施形態によるリードソロモンの符号語を示す図である。
【図３Ｂ】本発明の実施態様によるトランスポートパケットとＭＰＥ−ＦＥＣセクションとの間の関係を示す図である。
【図３Ｃ】本発明の実施態様によるトランスポートパケットとＭＰＥ−ＦＥＣセクションとの間の関係を示す図である。
【図４Ａ】本発明の実施形態によるメモリテーブルを示す図である。
【図４Ｂ】本発明の実施形態によるメモリテーブルを示す図である。
【図４Ｃ】本発明の実施形態による消失テーブルを示す図である。
【図５】本発明の実施形態による適応型ＭＰＥ−ＦＥＣ復号部の論理アーキテクチャを示す図である。
【図６】本発明の実施態様によるフローチャートを示す図である。
【図１】
2009509389.tif 000006
【図２Ａ】
2009509389.tif 000007
【図２Ｂ】
2009509389.tif 000008
【図３Ａ】
2009509389.tif 000009
【図３Ｂ】
2009509389.tif 000010
【図３Ｃ】
2009509389.tif 000011
【図４Ａ】
2009509389.tif 000012
【図４Ｂ】
2009509389.tif 000013
【図４Ｃ】
2009509389.tif 000014
【図５】
2009509389.tif 000015
【図６】
2009509389.tif 000016
【国際調査報告】
2009509389.tif 000017
2009509389.tif 000018